(57)【要約】【課題】ロープの端部の側と負荷の側とを締め付けることなく、ロープの折り返し部が楔ソケットから抜けることを防止できるロープの留め装置を提供する。【解決手段】ロープの留め装置は、負荷を支持した一側を有した支持体と、前記支持体の他側と連結した一側を有し、ロープの折り返し部が前記支持体の他側との間に隙間を形成するように前記ロープの折り返し部を内周部で保持した他側を有した楔ソケットと、前記楔ソケットの他側の外側において前記ロープの端部の側と負荷の側とを締め付けることなく束ねた結束体と、前記支持体と前記楔ソケットとは別に形成され、前記支持体の他側と前記ロープの折り返し部との間に設けられ、前記ロープの折り返し部が前記支持体の側へ移動することを抑制する抑制体と、を備えた。【選択図】図２
2015137653.tif 000002
【特許請求の範囲】
【請求項１】
負荷を支持した一側を有した支持体と、
前記支持体の他側と連結した一側を有し、ロープの折り返し部が前記支持体の他側との間に隙間を形成するように前記ロープの折り返し部を内周部で保持した他側を有した楔ソケットと、
前記楔ソケットの他側の外側において前記ロープの端部の側と負荷の側とを締め付けることなく束ねた結束体と、
前記支持体と前記楔ソケットとは別に形成され、前記支持体の他側と前記ロープの折り返し部との間に設けられ、前記ロープの折り返し部が前記支持体の側へ移動することを抑制する抑制体と、
を備えたロープの留め装置。
【請求項２】
前記支持体の他側は、前記ロープの折り返し部に向けて凸となるように形成され、
前記楔ソケットの他側は、前記ロープの折り返し部が前記支持体に向けて凸となるように前記ロープの折り返し部を保持し、
前記抑制体は、
前記支持体の他側と前記ロープの折り返し部との間の一側に設けられ、前記支持体の他側と前記ロープの折り返し部との間の一側から中央に行くにつれて小さくなる外周部を有し、前記支持体の他側と前記ロープの折り返し部との間の一側から中央への挿入量を調整し得るように形成された第１抜け留め具と、
前記支持体の他側と前記ロープの折り返し部との間の他側に設けられ、前記支持体の他側と前記ロープの折り返し部との間の他側から中央に行くにつれて小さくなる外周部を有し、前記支持体の他側と前記ロープの折り返し部との間の他側から中央への挿入量を調整し得るように形成された第２抜け留め具と、
を備えた請求項１に記載のロープの留め装置。
【請求項３】
前記抑制体は、
前記ロープの折り返し部に前記支持体の側から接触した抑止部と、
前記抑止部の一側に連結され、前記楔ソケットの側面の一側に固定された第１固定部と、
前記抑止部の他側に連結され、前記楔ソケットの側面の他側に固定された第２固定部と、
を備えた請求項１に記載のロープの留め装置。
【請求項４】
前記楔ソケットの一側は、前記支持体の他側を挟み込む一対の連結部を有し、
前記抑制体は、
前記一対の連結部が前記支持体の他側を挟み込んでいない際に前記一対の一方に案内され得るように形成され、案内方向への投影面上において前記一対の連結部の並び方向に直交する方向への移動を前記一対の連結部の一方に規制され得るように形成された第１ガイド部と、
前記一対の連結部が前記支持体の他側を挟み込んでいない際に前記一対の他方に案内され得るように形成され、案内方向への投影面上において前記一対の連結部の並び方向に直交する方向への移動を前記一対の連結部の他方に規制され得るように形成された第２ガイド部と、
前記第１ガイド部と前記第２ガイド部とを連結し、前記第１ガイド部と前記第２ガイド部とが前記一対の連結部に案内された後に前記一対の連結部が前記支持体の他側を挟み込んだ際に前記支持体の他側と前記ロープの折り返し部との間に配置される抑止部と、
を備えた請求項１に記載のロープの留め装置。
【発明の詳細な説明】
【技術分野】
【０００１】
この発明は、ロープの留め装置に関する。
【背景技術】
【０００２】
例えば、特許文献１には、ロープの留め装置が記載されている。当該留め装置は、支持体、楔ソケット、クリップを備える。支持体の一側は、負荷を支持する。楔ソケットの一側は、支持体の他側と連結する。楔ソケットの他側は、ロープの折り返し部が支持体の他側へ凸となるようにロープの折り返し部を保持する。クリップは、楔ソケットの外側でロープの端部の側と負荷の側とを締め付けるように束ねる。
【０００３】
当該留め装置においては、ロープの折り返し部が楔ソケットから抜けそうになると、クリップが楔ソケットの他側に接触する。当該接触により、ロープの折り返し部は、支持体の側への移動を抑制される。このため、ロープの折り返し部が楔ソケットから抜けることを防止できる。
【先行技術文献】
【特許文献】
【０００４】
【特許文献１】特開２００１−１６５２４５号公報
【発明の概要】
【発明が解決しようとする課題】
【０００５】
しかしながら、特許文献１に記載のものにおいては、クリップがロープの端部の側と負荷の側との締め付け部を潰す。このため、ロープが引っ張られた際、当該締め付け部周辺が伸びる。その結果、曲げ応力が締め付け部周辺に発生する。
【０００６】
この発明は、上述の課題を解決するためになされた。この発明の目的は、ロープの端部の側と負荷の側とを締め付けることなく、ロープの折り返し部が楔ソケットから抜けることを防止できるロープの留め装置を提供することである。
【課題を解決するための手段】
【０００７】
この発明に係るロープの留め装置は、負荷を支持した一側を有した支持体と、前記支持体の他側と連結した一側を有し、ロープの折り返し部が前記支持体の他側との間に隙間を形成するように前記ロープの折り返し部を内周部で保持した他側を有した楔ソケットと、前記楔ソケットの他側の外側において前記ロープの端部の側と負荷の側とを締め付けることなく束ねた結束体と、前記支持体と前記楔ソケットとは別に形成され、前記支持体の他側と前記ロープの折り返し部との間に設けられ、前記ロープの折り返し部が前記支持体の側へ移動することを抑制する抑制体と、を備えた。
【発明の効果】
【０００８】
この発明によれば、結束体は、ロープの端部の側と負荷の側とを締め付けない。抑制体は、ロープの折り返し部が支持体の側へ移動することを抑制する。このため、ロープの端部の側と負荷の側とを締め付けることなく、ロープの折り返し部が楔ソケットから抜けることを防止できる。
【図面の簡単な説明】
【０００９】
【図１】この発明の実施の形態１におけるロープの留め装置を適用したエレベータの側面図である。
【図２】この発明の実施の形態１におけるロープの留め装置の縦断面図である。
【図３】この発明の実施の形態２におけるロープの留め装置の縦断面図である。
【図４】この発明の実施の形態３におけるロープの留め装置の側面図である。
【図５】図４のＡ−Ａ線における断面図である。
【図６】図４のＢ−Ｂ線における断面図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１におけるロープの留め装置を適用したエレベータの側面図である。
【００１２】
図１のエレベータにおいて、図示しない昇降路は、図示しない建物の各階を貫く。例えば、綱車１は、昇降路の頂部に設けられる。例えば、そらせ車２は、昇降路の頂部に設けられる。そらせ車２は、綱車１の斜め下方に設けられる。主ロープ３は、綱車１とそらせ車２とに巻き掛けられる。
【００１３】
かご４は、主ロープ３の一側に配置される。かご４は、第１留め装置５を介して主ロープ３の一側に連結される。つり合いおもり６は、主ロープ３の他側に配置される。つり合いおもり６は、第２留め装置７を介して主ロープ３の他側に連結される。
【００１４】
次に、図２を用いて、第１留め装置５と第２留め装置７とを説明する。
図２はこの発明の実施の形態１におけるロープの留め装置の縦断面図である。
【００１５】
第１留め装置５は、ロッド８、楔ソケット９、第１結束帯１０、第２結束帯１１、連結体１２、抑制体１３を備える。
【００１６】
ロッド８は、支持体として機能する。具体的には、ロッド８の一側は、かご４を支持する。ロッド８の他側は、円形状に形成される。ロッド８の他側の端部は、上側に凸となる。ロッド８の他側は、穴を備える。穴は、ロッド８の他側を水平方向に貫通する。
【００１７】
楔ソケット９は、一対の連結部９ａを備える。一対の連結部９ａは、楔ソケット９の一側に設けられる。一対の連結部９ａは、ロッド８の他側を挟み込む。一対の連結部９ａは、穴を備える。穴は、一対の連結部９ａを水平方向に貫通する。楔ソケット９の他側の外周部は、上方に行くにつれて小さくなる。楔ソケット９の他側の内周部は、上方に行くにつれて小さくなる。楔ソケット９の他側の内周部は、主ロープ３の押し返し部がロッド８に向けて凸となるように主ロープ３の折り返し部を保持する。楔ソケット９の他側の内周部は、主ロープ３の押し返し部がロッド８と他側との間に隙間を形成するように主ロープ３の折り返し部を保持する。
【００１８】
例えば、第１結束帯１０と第２結束帯１１とは、樹脂で形成される。第１結束帯１０と第２結束帯１１とは、結束体として、楔ソケット９の外側において主ロープ３の端部の側と負荷の側とを締め付けることなく束ねる。
【００１９】
連結体１２は、棒状に形成される。連結体１２は、ロッド８の他側と楔ソケット９の一側とを連結する。具体的には、連結体１２は、ロッド８の他側の穴と楔ソケット９の連結部９ａの穴とに嵌め込まれる。
【００２０】
抑制体１３は、ロッド８と楔ソケット９とは別に形成される。抑制体１３は、第１抜け留め具１３ａ、第２抜け留め具１３ｂ、支持具１３ｃ、ピン１３ｄを備える。
【００２１】
第１抜け留め具１３ａは、ロッド８の他側と主ロープ３の折り返し部との間の一側に設けられる。第１抜け留め具１３ａの外周部は、ロッド８の他側と主ロープ３の押し返し部との間の一側から中央に行くにつれて小さくなる。第１抜け留め具１３ａは、ロッド８の他側と主ロープ３の押し返し部との間の一側から中央への挿入量を調整し得るように設けられる。
【００２２】
第２抜け留め具１３ｂは、ロッド８の他側と主ロープ３の折り返し部との間の他側に設けられる。第２抜け留め具１３ｂの外周部は、ロッド８の他側と主ロープ３の押し返し部との間の他側から中央に行くにつれて小さくなる。第２抜け留め具１３ｂは、ロッド８の他側と主ロープ３の押し返し部との間の他側から中央への挿入量を調整し得るように設けられる。
【００２３】
支持具１３ｃは、ねじで形成される。支持具１３ｃは、抑制体１３の一側から第１抜け留め具１３ａと第２抜け留め具１３ｂとを水平方向に貫通する。支持具１３ｃの頭部は、第１抜け留め具１３ａの外側に配置される。支持具１３ｃの先端は、第２抜け留め具１３ｂにねじ込まれる。ピン１３ｄは、第２抜け留め具１３ｂの外側において支持具１３ｃの先端に取り付けられる。
【００２４】
第１留め装置５においては、主ロープ３の折り返し部は、第１抜け留め具１３ａの上部と第２抜け留め具１３ｂの上部とに接触する。第１抜け留め具１３ａの下部と第２抜け留め具１３ｂの下部とは、ロッド８の他側に接触する。このため、主ロープ３の折り返し部は、ロッド８の側への移動を抑制される。
【００２５】
第２留め装置７も、第１留め装置５とほぼ同様に形成される。
【００２６】
以上で説明した実施の形態１によれば、第１結束帯１０と第２結束帯１１とは、主ロープ３の端部の側と負荷の側とを締め付けない。第１抜け留め具１３ａと第２抜け留め具１３ｂとは、主ロープ３の折り返し部がロッド８の側へ移動することを抑制する。このため、主ロープ３の端部の側と負荷の側とを締め付けることなく、主ロープ３の折り返し部が楔ソケット９から抜けることを防止できる。この場合、局所的な荷重が主ロープ３にかかることはない。このため、主ロープ３の損傷を防止することができる。
【００２７】
また、第１抜け留め具１３ａと第２抜け留め具１３ｂとは、ロッド８の他側と主ロープ３の折り返し部との間への挿入量を調整し得るように形成される。このため、主ロープ３の折り返し部の状態に応じて、第１留め装置５と第２留め装置７とを適切に設置することができる。
【００２８】
また、第１結束帯１０と第２結束帯１１とは、樹脂で形成される。このため、主ロープ３の磨耗を防止することができる。
【００２９】
また、抑制体１３は、ロッド８と楔ソケット９との連結後に設置し得る。このため、主ロープ３を留める作業を容易に行うことができる。
【００３０】
なお、ピン１３ｄの代わりに２つのナットを用いてもよい。この場合、第２抜け留め具１３ｂの外側において２つのナットを支持具１３ｃの先端にねじ込めばよい。
【００３１】
また、ロッド８の一側を固定物に固定してもよい。この場合も、主ロープ３の端部の側と負荷の側とを締め付けることなく、主ロープ３の折り返し部が楔ソケット９から抜けることを防止できる。
【００３２】
実施の形態２．
図３はこの発明の実施の形態２におけるロープの留め装置の縦断面図である。なお、実施の形態１の部分と同一又は相当部分には同一符号が付される。当該部分の説明は省略される。
【００３３】
実施の形態１の抑制体１３は、第１抜け留め具１３ａ、第２抜け留め具１３ｂ、支持具１３ｃ、ピン１３ｄを備える。一方、実施の形態２の抑制体１３は、抜け留め帯１４、第１ねじ１５、第２ねじ１６を備える。
【００３４】
抜け留め帯１４は、抑止部１４ａ、第１固定部１４ｂ、第２固定部１４ｃを備える。抑止部１４ａは、主ロープ３の折り返し部にロッド８の側から接触する。第１固定部１４ｂは、抑止部１４ａの一側に連結される。第１固定部１４ｂは、楔ソケット９の外側面の一側に対向する。第２固定部１４ｃは、抑止部１４ａの他側に連結される。第２固定部１４ｃは、楔ソケット９の外側面の他側に対向する。
【００３５】
第１ねじ１５は、楔ソケット９の外側面の一側に抜け留め帯１４の第１固定部１４ｂを固定する。第２ねじ１６は、楔ソケット９の外側面の他側に抜け留め帯１４の第２固定部１４ｃを固定する。
【００３６】
以上で説明した実施の形態２によれば、主ロープ３の折り返し部は、抜け留め帯１４によりロッド８の側への移動を抑制される。このため、実施の形態１と同様に、主ロープ３の端部の側と負荷の側とを締め付けることなく、主ロープ３の折り返し部が楔ソケット９から抜けることを防止できる。
【００３７】
また、抑制体１３は、ロッド８と楔ソケット９との連結後に設置し得る。このため、主ロープ３を留める作業を容易に行うことができる。
【００３８】
実施の形態３．
図４はこの発明の実施の形態３におけるロープの留め装置の側面図である。なお、実施の形態１の部分と同一又は相当部分には同一符号が付される。当該部分の説明は省略される。
【００３９】
実施の形態１の抑制体１３は、第１抜け留め具１３ａ、第２抜け留め具１３ｂ、支持具１３ｃ、ピン１３ｄを備える。一方、実施の形態３の抑制体１３は、第１ガイド部１７、第２ガイド部１８、抑止部１９を備える。
【００４０】
第１ガイド部１７は、楔ソケット９の連結部９ａの一方に案内され得るように形成される。第２ガイド部１８は、楔ソケット９の連結部９ａの他方に案内され得るように形成される。抑止部１９は、第１ガイド部１７と第２ガイド部１８を連結する。
【００４１】
本実施の形態においては、楔ソケット９の一対の連結部９ａがロッド８の他側を挟み込む前に、第１ガイド部１７と第２ガイド部１８とが楔ソケット９の一対の連結部９ａに案内される。
【００４２】
この際、第１ガイド部１７は、案内方向への投影面上において楔ソケット９の連結部９ａの一方に楔ソケット９の連結部９ａの並び方向に直交する方向への移動を規制される。第２ガイド部１８は、案内方向への投影面上において楔ソケット９の連結部９ａの他方に楔ソケット９の連結部９ａの並び方向に直交する方向への移動を規制される。
【００４３】
その後、楔ソケット９の一対の連結部９ａがロッド８の他側を挟み込む。この際、抑制体１３の抑止部１９は、ロッド８の他側と主ロープ３の折り返し部との間に配置される。
【００４４】
次に、図５を用いて、第１ガイド部１７と第２ガイド部１８とを説明する。
図５は図４のＡ−Ａ線における断面図である。
【００４５】
例えば、第１ガイド部１７は、薄板を折り曲げることにより形成される。例えば、第１ガイド部１７は、連結部１７ａ、第１規制部１７ｂ、第１案内部１７ｃ、第２規制部１７ｄ、第２案内部１７ｅを備える。
【００４６】
連結部１７ａは、抑止部１９の一面に固定される。第１規制部１７ｂは、連結部１７ａの一側に連結される。第１規制部１７ｂは、楔ソケット９の連結部９ａの一方における一側面に対向する。第１案内部１７ｃは、第１規制部１７ｂの端部に連結される。第１案内部１７ｃは、楔ソケット９の連結部９ａの一方における一側を連結部１７ａと挟み込むように配置される。第２規制部１７ｄは、連結部１７ａの他側に連結される。第２規制部１７ｄは、楔ソケット９の連結部９ａの一方における他側面に対向する。第２案内部１７ｅは、第２規制部１７ｄの端部に連結される。第２案内部１７ｅは、楔ソケット９の連結部９ａの一方における他側を連結部１７ａと挟み込むように配置される。
【００４７】
例えば、第２ガイド部１８は、薄板を折り曲げることにより形成される。例えば、第２ガイド部１８は、連結部１８ａ、第１規制部１８ｂ、第１案内部１８ｃ、第２規制部１８ｄ、第２案内部１８ｅを備える。
【００４８】
連結部１８ａは、抑止部１９の他面に固定される。第１規制部１８ｂは、連結部１８ａの一側に連結される。第１規制部１８ｂは、楔ソケット９の連結部９ａの他方における一側面に対向する。第１案内部１８ｃは、第１規制部１８ｂの端部に連結される。第１案内部１８ｃは、楔ソケット９の連結部９ａの他方における一側を連結部１８ａと挟み込むように配置される。第２規制部１８ｄは、連結部１８ａの他側に連結される。第２規制部１８ｄは、楔ソケット９の連結部９ａの他方における他側面に対向する。第２案内部１８ｅは、第２規制部１８ｄの端部に連結される。第２案内部１８ｅは、楔ソケット９の連結部９ａの他方における他側を連結部１７ａと挟み込むように配置される。
【００４９】
次に、図６を用いて、抑止部１９の配置を説明する。
図６は図４のＢ−Ｂ線における断面図である。
【００５０】
抑止部１９の下面は、ロッド８の他側に接触する。抑止部１９の上面は、主ロープ３の折り返し部に接触する。このため、主ロープ３の折り返し部は、ロッド８の側への移動を抑制される。
【００５１】
以上で説明した実施の形態３によれば、主ロープ３の折り返し部は、抑制体１３の抑止部１９によりロッド８の側への移動を抑制される。このため、実施の形態１と同様に、主ロープ３の端部の側と負荷の側とを締め付けることなく、主ロープ３の折り返し部が楔ソケット９から抜けることを防止できる。
【００５２】
また、第１ガイド部１７は、案内方向への投影面上において楔ソケット９の連結部９ａの一方に楔ソケット９の連結部９ａの並び方向に直交する方向への移動を規制される。第２ガイド部１８は、案内方向への投影面上において楔ソケット９の連結部９ａの他方に楔ソケット９の連結部９ａの並び方向に直交する方向への移動を規制される。このため、抑制体１３がロッド８と主ロープ３の折り返し部との間から抜けることを防止できる。
【００５３】
なお、第１留め装置５又は第２留め装置７をエレベータの主ロープ３以外のロープに適用してもよい。この場合も、主ロープ３の端部の側と負荷の側とを締め付けることなく、主ロープ３の折り返し部が楔ソケット９から抜けることを防止できる。
【符号の説明】
【００５４】
１  綱車、  ２  そらせ車、  ３  主ロープ、  ４  かご、  ５  第１留め装置、  ６  つり合いおもり、  ７  第２留め装置、  ８  ロッド、  ９  楔ソケット、  ９ａ  連結部、  １０  第１結束帯、  １１  第２結束帯、  １２  連結体、  １３  抑制体、  １３ａ  第１抜け留め具、  １３ｂ  第２抜け留め具、  １３ｃ  支持具、  １３ｄ  ピン、  １４  抜け留め帯、  １４ａ  抑止部、  １４ｂ  第１固定部、  １４ｃ  第２固定部、  １５  第１ねじ  、１６  第２ねじ、  １７  第１ガイド部、  １７ａ  連結部、  １７ｂ  第１規制部、  １７ｃ  第１案内部、  １７ｄ  第２規制部、  １７ｅ  第２案内部、  １８  第２ガイド部、１８ａ  連結部、  １８ｂ  第１規制部、  １８ｃ  第１案内部、  １８ｄ  第２規制部、  １８ｅ  第２案内部、  １９  抑止部
【図１】
2015137653.tif 000003
【図２】
2015137653.tif 000004
【図３】
2015137653.tif 000005
【図４】
2015137653.tif 000006
【図５】
2015137653.tif 000007
【図６】
2015137653.tif 000008